(57)【要約】  無線通信で第２通信機器（８０）と接続される第１通信機器（１０）を備える通信システムにおける信号特性を表示する方法が記載される。当該方法は、（ａ）１又は複数の無線伝送（６０）を前記第２機器（８０）で受信するステップと、（ｂ）前記第２機器（８０）で受信された前記１又は複数の無線伝送（６０）を、前記１つ又は複数の無線伝送（６０）の少なくとも１つの特性を決定するために分析するステップと、（ｃ）前記少なくとも１つの特性を表現する情報を含む少なくとも１つの返還信号を発生し、前記少なくとも１つの返還信号を前記第２機器（８０）から前記第１機器（１０）へ伝達するステップと、（ｄ）前記少なくとも１つの返還信号を前記第１機器（１０）で受信し、前記少なくとも１つの特性を前記第１機器（１０）の少なくとも１ユーザ（９０）に提示するステップと、を含むことを特徴とする。
2007528652.tif 000002
【特許請求の範囲】
【請求項１】
無線通信で第２通信機器と接続される第１通信機器を備える通信システムにおける信号特性を表示する方法において、当該方法が、
（ａ）１又は複数の無線伝送を前記第２機器で受信するステップと、
（ｂ）前記第２機器で受信された前記１又は複数の無線伝送を、前記１つ又は複数の無線伝送の少なくとも１つの特性を決定するために、分析するステップと、
（ｃ）前記少なくとも１つの特性を表現する情報を含む少なくとも１つの返還信号を発生し、前記少なくとも１つの返還信号を前記第２機器から前記第１機器へ伝達するステップと、
（ｄ）前記少なくとも１つの返還信号を前記第１機器で受信し、前記少なくとも１つの特性を前記第１機器の少なくとも１ユーザに提示するステップと、
を含むことを特徴とする方法。
【請求項２】
第１通信機器で信号特性を示す方法において、当該方法が、
（ａ）第２通信機器と無線通信システムの基地局との間の１又は複数の無線伝送の少なくとも１つの特性を表現する情報を含む信号を受信するステップと、
（ｂ）前記少なくとも１つの特性を前記第１機器の少なくとも１ユーザに提示するステップと、
を含むことを特徴とする方法。
【請求項３】
前記少なくとも１つの返還信号で伝達される前記少なくとも１つの特性の提示ステップが、前記第１機器に含まれる表示手段の背景色及び／又は発光束を変更することによって実施化される、請求項２に記載の方法。
【請求項４】
前記背景色が、前記表示手段に含まれる大部分の画素で提示される、請求項３に記載の方法。
【請求項５】
ステップ（ｂ）において、前記少なくとも１つの特性の提示ステップが、対応する音声表示によって補われる、請求項２に記載の方法。
【請求項６】
前記信号で受信される前記情報が、前記第２機器で受信される磁気放射の強度を表示する、請求項２に記載の方法。
【請求項７】
前記信号が、反復的に又はほぼ連続的な形式で受信される、請求項２に記載の方法。
【請求項８】
前記信号が、前記少なくとも１つの特性を、１つ又は複数のパルス、１つ又は複数のトーンバースト、位相変調、及びデジタルデータストリームのうちの少なくとも１つを用いて伝達する、請求項２に記載の方法。
【請求項９】
請求項２に記載の方法に従い動作可能な機器。
【請求項１０】
請求項２に記載の方法を実施する１つ又は複数の計算装置で実行可能なソフトウェア。
【請求項１１】
第１通信機器での信号特性の表示を可能にする方法において、当該方法が、
（ａ）第２通信機器と無線通信システムの基地局との間の１又は複数の無線伝送を、前記１つ又は複数の無線伝送の少なくとも１つの特性を決定するために分析するステップと、
（ｄ）前記少なくとも１つの特性を表現する情報を含む少なくとも１つの信号を発生させ、前記少なくとも１つの信号を前記第１機器へ伝達するステップと、
を含むことを特徴とする方法。
【請求項１２】
前記少なくとも１つの信号で伝達される前記情報が、前記第２機器で受信される磁気放射の強度を表示する、請求項１１に記載の方法。
【請求項１３】
前記少なくとも１つの信号が、反復的に又はほぼ連続的な形式で前記第１機器へ伝達される、請求項１１に記載の方法。
【請求項１４】
前記少なくとも１つの信号が、前記少なくとも１つの特性を、１つ又は複数のパルス、１つ又は複数のトーンバースト、位相変調、及びデジタルデータストリームのうちの少なくとも１つを用いて伝達する、請求項１１に記載の方法。
【請求項１５】
請求項１１に記載の方法に従い動作可能な機器。
【請求項１６】
請求項１１に記載の方法を実施する１つ又は複数の計算装置で実行可能なソフトウェア。
【発明の詳細な説明】
【技術分野】
【０００１】
本発明は、信号特性を表示する方法に関し、排他的でないが、特に本発明は、例えば携帯電話機などの携帯型電子機器の信号強度を表示する方法に関する。更に、本発明は、前記方法を実施化するのに動作可能な機器にも関する。
【背景技術】
【０００２】
近年の携帯型電子機器は、ますます複雑になっており、これにより、斯様な項目の使用は、多くの場合小型のスクリーン又はディスプレイに表示される情報を理解するユーザの能力の程度が増加することを必要とする。斯様な考慮は、特に、基本的な電話通話通信に加えて、例えば、ＳＭＳ及びカレンダーノートパッドなどのグラフィック機能などの他の機能の提供が益々増える携帯電話に関する。弱い視力を有し、技術的なトレーニングを受けていない年配の人々は、しばしば、斯様な複雑な機器を用いる場合に、困難さを経験する。
【０００３】
複雑な機器は、例えば、リピータ基地局と相互作用する携帯電話などの他のシステムコンポーネンツを用いて生じる、多数の相互作用を用いる洗練されたやり方で潜在的にも動作し得る。斯様な相互作用において失敗が発生する場合、機器のユーザにとって、斯様な失敗の原因を理解又は認識することは、多くの場合困難なものであり得る。更に、小型スクリーンへのエラーコードなどの表示は、多くの場合、経験のないユーザにとって意味のないことである。携帯電話の場合、本発明者は、無線波受信問題が、携帯電話機器の明らかな誤動作の頻繁な原因であることを認識していた。
【０００４】
英国特許出願第2,355,894号において、折り畳み式携帯型電話が記載されている。該電話が折り畳まれた状態にある場合、ＬＥＤは、該電話のユーザに電話が圏内にあり用いられ得るか否かを決定するのを可能にするために用いられる。ＬＥＤは、電話が折り畳まれていない場合にユーザに見えるように配置される。動作において、受信局は、基地局から伝送される信号を受信し、制御ユニットは、該受信された信号に従いＬＥＤの発光を制御する。好ましくは、ＬＥＤは、受信信号の強度すなわち信号対ノイズ比（ＳＮＲ）が所定値より大きいか等しい場合、例えば連続的にオフなどの第１発光パターンで発光され、圏内状態を示し、受信信号の強度すなわちＳＮＲが所定値より小さい場合、例えば連続的にオンなどの第２発光パターンで発光され、圏外状態を示す。第３発光パターンは、受信部が基地局から着信を受信する場合に用いられ得る。第１及び第２発光パターンは、反転され得、携帯電話が折り畳まれていない場合にのみ見えるように構成される液晶ディスプレイも存在し得る。
【０００５】
発明者は、上記のようなＬＥＤの使用は、潜在的に、携帯型電話を必要されるものより複雑に及び大きくすることを理解していた。更に、あるユーザにとってフラッシュするＬＥＤの意味の解釈は、潜在的に困難でありかつ困惑させるものであり得る。発明者は、斯様な受信状態表示が問題的であることを想像しており、したがって、少なくとも部分的に前記問題を解決する本発明を考案した。
【０００６】
無線で遠隔受信器に接続される場合の携帯電話などの既知の携帯型電子機器において、電話を掛ける場合の該機器のユーザは、受信器の状況、すなわち動作状況の表示を提供されない。斯様な表示の欠如は、潜在的に、遠隔受信器からの質問／クエリが繰り返えされるので、ユーザのフラストレーションに導き得る。本発明者は、したがって、受信器が機器からの伝送を適切に受信することが可能であるか否かを知ることが有利であることを想像していた。遠隔受信器での受信の表示を受け取ることによって、ユーザは、受信器側での信号品質の強化するための必要なステップを取り得る。これらのステップは、信号受信強度を向上するために歩き回ることによってか、例えば、近隣の金属物体の特性に焦点を合わせる放射を活用することによってか、又は別の時間に電話することによることを含み得る。更に、ユーザは受信機が通信を適切に受信できないことを知っているので、ユーザのフラストレーションは低減される。
【発明の開示】
【発明が解決しようとする課題】
【０００７】
本発明の目的は、機器の技術的動作状態に関するより敏速に及び容易に解釈可能なフィードバックを提供することである。
【課題を解決するための手段】
【０００８】
本発明の第１態様によると、無線通信で第２通信機器と接続される第１通信機器を備える通信システムにおける信号特性を表示する方法において、
（ａ）１又は複数の無線伝送を前記第２機器で受信するステップと、
（ｂ）前記第２機器で受信された前記１又は複数の無線伝送を、前記１つ又は複数の無線伝送の少なくとも１つの特性を決定するために分析するステップと、
（ｃ）前記少なくとも１つの特性を表現する情報を含む少なくとも１つの返還信号を発生し、前記少なくとも１つの返還信号を前記第２機器から前記第１機器へ伝達するステップと、
（ｄ）前記少なくとも１つの返還信号を前記第１機器で受信し、前記少なくとも１つの特性を前記第１機器（１０）の少なくとも１ユーザに提示するステップと、
を含むことを特徴とする方法が提供される。
【０００９】
本発明は、該第１機器が、該第２機器の技術的動作状態に関するより敏速に及び容易に解釈可能なフィードバックを提供することが可能であることにおいて有利である。
【００１０】
好ましくは、該少なくとも１つの返還信号で伝達される情報は、該第２機器で受信される磁気放射の強度を示す。
【００１１】
好ましくは、当該方法において、該少なくとも１つの返還信号で伝達される前記少なくとも１つの特性の提示は、該第１機器に含まれる表示手段の背景色及び／又は発光束を変更することによって実施化される。更に好ましくは、前記背景色が、前記表示手段に含まれる大部分の画素で提示される。本発明者は、多くの場合理解するのに直感的でなく、弱視の人にとって見づらい小型のＬＥＤなどの補助的小型表示器を用いるのとは対比して、前記第２機器の技術的動作状態の表示を提示するためには、ユーザが見慣れているディスプレイの領域のほぼ大部分を活用することがより優れているということを理解していた。
【００１２】
好ましくは、当該方法において、前記少なくとも１つの特性の提示ステップは、対応する音声表示によって補われる。斯様な音声表示は、前記第１機器の該１又は複数のユーザに提示される該第２機器の動作状態の印象を強化することが可能である。
【００１３】
好ましくは、当該方法において、前記少なくとも１つの返還信号が、前記第２機器から前記第１機器へと反復的に又はほぼ連続的な形式で伝達される。斯様な反復的に又はほぼ連続的な形式の伝達は、前記第１及び／又は第２機器のユーザが、伝送受信を向上させるために、繰り返し空間的位置を変更するのを可能にする。
【００１４】
好ましくは、当該方法において、前記少なくとも１つの返還信号が、前記少なくとも１つの特性を、１つ又は複数のパルス、１つ又は複数のトーンバースト、位相変調、及びデジタルデータストリームのうちの少なくとも１つを用いて伝達する。更に好ましくは、前記１つ又は複数のトーンバーストは、音声通信に関して必要とされるものにほぼ対応する範囲の関連するトーン周波数を有する。トーンバーストを用いての前記１つ又は複数の返還信号の実施化は、音声メッセージを伝達するように構成される既存の機器内で当該方法を実施可能にすることが可能である。
【００１５】
好ましくは、当該方法において、前記少なくとも１つの返還信号は、通信インフラストラクチャを用いて前記第２機器から前記第１機器からへ伝達される。斯様なインフラストラクチャの使用は、当該方法を、前述のインフラストラクチャの一部として基地局を含む当今の携帯電話システムに適用可能にする。
【００１６】
本発明の第２の態様によると、通信機器で信号特性を表示する方法において、
（ａ）前記機器で１つ又は複数の無線伝送を受信するステップと、
（ｂ）前記機器で受信された前記１つ又は複数の無線伝送を、前記１つ又は複数の無線伝送の少なくとも１つの特性を決定するために分析するステップと、
（ｃ）前記少なくとも１つの特性を前記機器の少なくとも１ユーザに提示し、前記少なくとも１つの特性が、前記機器に含まれる表示手段の背景色及び／又は発光束を変更することによって提示されるステップと、
を含むことを特徴とする方法が提供される。
【００１７】
好ましくは、当該方法において、前記少なくとも１つの特性は、前記機器で受信される前記１又は複数の伝送の放射強度に関する。
【００１８】
好ましくは、当該方法において、前記少なくとも１つの特性は、前記機器で受信される前記１又は複数の伝送によって伝送される信号の周波数スペクトル特性又は振幅に関し、前記信号は、好ましくは、音声発話及び／又は音楽である。
【００１９】
本発明の第３の態様によると、第１通信機器で信号特性を示す方法において、
（ａ）第２通信機器（８０）と無線通信システムの基地局との間の１又は複数の無線伝送の少なくとも１つの特性を表現する情報を含む信号を受信するステップと、
（ｂ）前記少なくとも１つの特性を前記第１機器（１０）の少なくとも１ユーザ（９０）に提示するステップと、
を含むことを特徴とする方法が提供される。
【００２０】
本発明の第４の態様によると、第１通信機器での信号特性の表示を可能にする方法において、
（ａ）第２通信機器（８０）と無線通信システムの基地局との間の１又は複数の無線伝送（６０）を、前記１つ又は複数の無線伝送の少なくとも１つの特性を決定するために分析するステップと、
（ｂ）前記少なくとも１つの特性を表現する情報を含む少なくとも１つの信号を発生させ、前記少なくとも信号を前記第１機器（１０）へ伝達するステップと、
を含むことを特徴とする方法が提供される。
【００２１】
本発明の第５の態様によると、本発明の第２の態様、本発明の第３の態様、又は本発明の第４の態様に記載の方法に従い動作可能な機器が提供される。
【００２２】
本発明の第６の態様によると、本発明の第２の態様、本発明の第３の態様、又は本発明の第４の態様に記載の方法を実施する１つ又は複数の計算装置で実行可能なソフトウェアが提供される。
【００２３】
本発明の特徴は、本発明の範囲から逸脱することなくいかなる組合せにおいても組み合わせられ得ることが理解され得る。
【００２４】
本発明の実施例は、以下に、例証のみのために、以下の図面を参照にして記載される。
【発明を実施するための最良の形態】
【００２５】
要約すると、本発明は、図１に示され、全体として１０によって示される電話などの携帯型電子機器に関する。好ましくは、電話１０は、携帯電話又はコードレス電話である。電話１０は、カラー画素ディスプレイ（ＤＩＰＳ）２０を含む。好ましくは、ディスプレイ２０は、１つ又は複数のカラー薄膜トランジスタ（ＴＦＴ）画素液晶表示（ＬＣＤ）装置を用いて実施化される。代わりには、又は加えて、ディスプレイ２０は、１つ又は複数の電子インクディスプレイを用いて実施化され、好ましくは、前記１つ又は複数のディスプレイは、公開された欧州特許出願第1,345,116号に記載され、Philips  N.V.によって開発された電子的に変更可能なインク、すなわち「e-ink」を用いる。有益的には、ディスプレイ２０は、異なる６万４０００色を表示すること、すなわち１６ビットカラー解像度を提供することが可能である。
【００２６】
更に、機器１０は、表示装置３０を介してディスプレイ２０に接続されるデータ処理ユニット（ＤＰＵ）４０を有し、該処理ユニット４０は、ディスプレイ２０に視覚情報を表示する装置３０を駆動するように動作可能である。更に、処理ユニット４０は、電話１０に情報発生電磁無線放射６０、すなわち無線ラジオ波を放射及び／又は受信させるスタブ又はパッチアンテナ５５を含む無線送受信器（ＴＸ／ＲＸ）５０にも接続される。駆動装置３０を適切に制御することによって、処理ユニット４０は、以下により詳細に説明され得る方法で、ディスプレイ２０に提示される背景色を変更するように動作可能である。更に、駆動装置３０は、ディスプレイ２０に当今の携帯電話の形式で、例えば電話番号及びＳＭＳメッセージなどの他の情報をも電話１０のユーザ９０に提示するように動作可能である。
【００２７】
動作において、電話１０は、１つ又は複数の基地局を含む通信インフラストラクチャ７０などを介して、他の類似する遠隔機器８０と通信するように構成されることが可能である。更に、電話１０は、インフラストラクチャ７０と単独で通信することも可能である。特に、処理ユニット４０は、ディスプレイ２０の上述の背景色及び／又は背景色の輝度を変更するように構成され、斯様な変更は、
（ａ）電話１０で受信される電気磁気的無線放射の強度、すなわち放射６０のパワー、又は代わりに電話１０で受信される放射６０の電気的又は磁気的ベクトルの大きさと、
（ｂ）放射６０によって電話１０に伝達される情報信号の特性と、
（ｃ）放射６０によって電話１０に伝達される音声信号の特性と、
のうちの１つ又は複数に依存する。
【００２８】
更に、処理ユニット４０は、例えば１つ又は複数のビーという音又はピーという音の形式などで補助的情報表示音声出力を提供することも代替的に又は追加的に可能である。
【００２９】
電話１０は、後に更に詳細に説明され得る第１、第２及び第３モードのうちの１つ又は複数で、インフラストラクチャ７０と及び／又は遠隔機器８０と接続して動作されることが可能である。ディスプレイ２０の背景色を変化させるステップ及び／又は１つ又は複数の音声ピー音又はビー音を発生するステップは、ユーザ９０が、電話１０のディスプレイ２０をすばやく覗くことによって、機器１０、インフラストラクチャ７０及び遠隔機器８０のうちの１つ又は複数の動作の理解を持つことを可能にする。好ましくは、遠隔機器８０の１つ又は複数は、設計の点で電話１０に類似している。
【００３０】
電話１０の動作は、以下に、第１、第２及び第３モードに関して、図１を参照にして説明される。
【００３１】
動作の第１モードにおいて、電話１０で放射６０として受信される無線伝送は、例えば基地局などのインフラストラクチャ７０から発生する。電話１０のユーザ９０は、例えば電話１０の処理ユニット４０を適切に構成することによって、電話１０で放射６０として受信される伝送の強度が、該受信された信号強度に応答してディスプレイ２０からの背景光色及び／又は発光束を変化させるために、処理ユニット４０において分析されるように選択し得る。前記伝送は、任意選択的に、遠隔機器８０においても受信される。ユーザ９０は、これにより、ディスプレイ２０を単に覗くことにより、電話１０とインフラストラクチャ７０との間の通信接続の品質の印象を受け取ることが可能である。好ましくは、インフラストラクチャ７０から電話１０への伝送は、反復的又は連続的に発生し、これにより、ディスプレイ２０からの背景色及び／又は発光束は、ほぼ連続的な形式で動的に更新される。
【００３２】
ディスプレイ２０を複数の検査位置間を空間的に移動する間覗くことによって、ユーザ９０は、これにより、例えば、電話１０に近接する金属オブジェクトからの放射の有益な反射のおかげにより、電話１０で受信される放射６０が最大化される該ユーザの環境における場所を決定することが可能である。例えば、ユーザ９０は、潜在的に、方向を変更するために部屋を歩き回るか又は回転することなどにより、放射６０によって伝達される信号の受信を向上することが可能である。したがって、第１モードにおいて、ユーザ９０は、電話１０及びインフラストラクチャ７０との間の通信を最適化することが可能である。最大信号強度が所与の位置で発見される場合、ユーザ９０は、その後、例えば残りの通話のために、該所与の場所に留まることが可能である。
【００３３】
第２動作モードにおいて、電話１０及び遠隔機器８０が存在する。遠隔機器８０から電話１０への伝送が発生し、この伝送は、放射６０として電話１０で受信される。ユーザ９０は、例えば電話１０を適切に構成することによって、放射６０として電話１０で受信される伝送によって遠隔機器８０から伝達される通信が、送受信器５０から処理ユニット４０への信号として渡されるように選択し得る。前記信号は、該信号の特定の特性に応答して、ディスプレイ２０の背景色及び／又はディスプレイ２０からの発光束を変化させるように動作可能である処理ユニット４０で分析される。好ましくは、上述の特性は、伝送で変調された音声信号の振幅、すなわち放射６０、又は音声信号のエネルギの相対的周波数分布であり得、例えば、ディスプレイ２０は、音声信号が、圧倒的に高周波数トーンを有する場合、黄色い背景色を表示し、ディスプレイは２０は、音声信号が、圧倒的に低周波数トーンを有する場合、赤い背景色を表示する。好ましくは、第２モードにおいて、ディスプレイ２０は、繰り返し又はほぼ連続的に更新される。第２動作モードは、例えば、互いに通信する場合に、電話１０を使用しているティーンエイジャー及び子供の間で潜在的に人気のあるような流行の視覚効果を、ユーザ９０に対し提示することが可能である点において、有利性がある。しかし、第２モードは、例えば音声発話を理解することについて難聴を有するひとにとって、及び／又は初めに電話番号を入力し、電話接続が確立される前に様々な音声リングトーンを理解することに関して、前記リングトーンが、しばしば、抑制された振幅であり、すなわち微かなものであって、したがって、部分的に耳の不自由な個人にとって理解するのが難しい場合に、かなりの有益性を有し得る。
【００３４】
第３動作モードにおいて、電話１０及び遠隔機器８０の両方が関わっている。電気磁気無線放射としての伝送は、インフラストラクチャ７０から遠隔機器８０へ発生し、該伝送は、例えば、電話１０からインフラストラクチャ７０への通話であり、更に遠隔機器８０へとリレーされる通話に対応する。次に、機器８０は、受信信号強度を決定するために遠隔機器８０で受信される伝送の分析を実行し、そして、遠隔機器８０が電話１０へと伝達する返還信号を発生し、これにより、電話１０に遠隔機器８０での伝送受信状況に関する情報を提供し、遠隔機器８０は、任意選択的に、インフラストラクチャ７０を介して電話１０に通信する。返還信号を受信すると、電話１０は、遠隔機器８０で決定された受信信号強度の表示をユーザ９０に提供する。好ましくは、受信信号強度の表示は、ディスプレイ２０の背景色及び輝度のうちの１つ又は複数を変更することによって、ユーザに提示され、例えば、遠隔機器８０における電磁気的放射の弱い受信は、電話１０のディスプレイ２０が赤い背景色をユーザ９０に提供するようにさせ、遠隔機器８０における強い受信は、電話１０のディスプレイ２０が緑の背景色をユーザ９０に提供するようにさせる。好ましくは、電話１０は、遠隔機器８０での受信の強度を示す返還信号を用いて繰り返し的に又はほぼ連続的に更新され、これにより、電話１０が、遠隔機器８０での受信状況の動的に更新される表示をユーザ９０に提供するようにさせる。斯様な表示は、ユーザ９０に、遠隔機器８０における動作状況を理解させ、これにより通話をする場合にフラストレーション及び困惑を潜在的に回避させる。
【００３５】
例えば、図２に例示されるように、ユーザ９０は、ユーザ９０へのディスプレイ２０への情報提示のためのしきい値レベルを規定するために、処理ユニット４０にパラメータＸを入力する。遠隔機器８０での受信伝送強度に関する情報Ｓを伝達する上述の１つ又は複数の返還信号がパラメータＸより小さい場合、ディスプレイ２０は、ユーザ９０に赤い（Ｒ）背景色をディスプレイ２０で提示する。代替的には、遠隔機器８０での受信伝送強度に関する情報Ｓを伝達する上述の１つ又は複数の返還信号がパラメータＸとほぼ等しい場合、ディスプレイ２０は、ユーザ９０に黄色い（Ｙ）背景色をディスプレイ２０で提示する。更なる代替例として、遠隔機器８０での受信伝送強度に関する情報Ｓを伝達する上述の１つ又は複数の返還信号がパラメータＸより大きい場合、ディスプレイ２０は、ユーザ９０に緑の（Ｇ）背景色をディスプレイ２０で提示する。
【００３６】
上述の返還信号は、好ましくは、返還無線伝送の変調として伝達される１つ又は複数のパルス又はトーンバーストとして実施化され、代替的には、又は追加的には、位相変調及び／又はデジタルデータストリームの包含は、該返還信号を伝達するのに用いられ得る。好ましくは、返還無線伝送は、直接的に遠隔機器８０から電話１０へ、又はインフラストラクチャ７０を介しての何れかにより伝達される。
【００３７】
例えば、電話１０、インフラストラクチャ７０及び遠隔機器８０を備える図１に記載の通信システムにおいて、上述の第１、第２及び第３動作モードのうちの１つより多くのものが同時に実行され得ることが理解され得る。例えば、遠隔機器８０が電話１０と類似する場合、遠隔機器８０は、遠隔機器８０及び電話１０が第３動作モードを協力して実施化するのと同時に、第１動作モードを用いるように動作可能であり得る。更なる例として、遠隔機器８０は、電話１０と協力して遠隔機器８０が第３動作モードを実施化するのと同時に、第２動作モードを用いるように構成され得る。より更なる例として、遠隔機器８０及び電話１０は、第３動作モードを同時に実施し、これにより、電話１０が、遠隔機器８０での伝送受信状況を監視することと同時に、遠隔機器８０が、電話１０での伝送受信状況を監視することが可能であるように構成され得る。上記で説明されるように、遠隔機器８０は、好ましくは、電話１０と類似する１つ又は複数の電話に対応する。更なる例として、流行の視覚的ディスプレイ表示を望むティーンエイジャー又は聴覚伝達情報を理解するのに相互アシスタンスを有することを望む部分的に耳の不自由なユーザの場合特に、電話１０及び遠隔機器８０の両方は、共に第２動作モードを実施化するように構成され得る。
【００３８】
第３動作モードにおける上述のトーンバーストは、ほぼ音声周波数領域にある、すなわち100Hzから2kHzの範囲にあることが好ましい。より好ましくは、該トーンバーストは、ほぼ200Hzから1kHzの範囲にあり、最も好ましくはほぼ500Hzであることである。トーンバーストは、反復性であり得るが、任意選択的に、単一バーストである。更に好ましくは、各１つ又は複数のトーンバーストは、１秒を超えない持続時間に制限される。
【００３９】
電話１０、及び同様に遠隔機器８０の動作モードは、それぞれのユーザによって構成され得、例えばユーザ９０は、例えば電話１０のキーボード(図示せず)を介して処理ユニット４０にパラメータを入力する。第２動作モードに関して、ユーザ９０及び／又は例えばユーザ９０によって参加されるインフラストラクチャ７０は、電話１０に関して、例えば、ディスプレイ２０に、800Hzから850Hzの範囲にある放射６０で伝達される音声信号エネルギに紫色を、850Hzから950Hzの範囲にある音声信号エネルギに赤色をなどのようにマップするように構成することが可能である。更に、該マッピングは、代替的に又は追加的にディスプレイ２０への提示用に異なる色に異なる音声周波数で、すなわちK=Mf(F,A)で、相対的振幅をマップするように構成され、ここで、K、Mf、F及びAは、色、ユーザ入力マップ関数、周波数及び振幅にそれぞれ対応する。斯様なマッピングは、好ましくは、反復的又は擬似的に連続的な方法で実施化される。
ディスプレイ２０に提示される背景色は、好ましくは、ディスプレイ２０のテキスト領域における、例えば、滑らかなフェード効果、移動、又は視覚的に「溶ける」色のバーとして、美的に心地よく、例えば「流行的に」であるように構成され得る。
【００４０】
上述の本発明の実施例は、添付の請求に記載される本願発明の範囲から逸脱することなく、変更され得ることを理解され得る。
【００４１】
「有する」、「含む」、「組み込む」、「包含する」及び単数形で表現される動詞（"is"及び"have"）等の表現は、当該記載及びそれに関連する請求項を理解する場合に、非排他的な方法で解釈されるべきであり、すなわち、存在するべきと明示的に規定されていない他の項目又はコンポーネントを考慮するように解釈されるべきである。単数形に関する参照は、複数形の参照であるように解釈されるべきでもあり、逆の場合も同様である。
【図面の簡単な説明】
【００４２】
【図１】図１は、任意追加的に関連するインフラストラクチャを介して遠隔機器と無線通信する機器、すなわち携帯電話の図である。
【図２】図２は、機器で受信される伝送の特性に応答して表示背景色を提示する図１の機器の構成を例証する図である。
【図１】
2007528652.tif 000003
【図２】
2007528652.tif 000004
【国際調査報告】
2007528652.tif 000005
2007528652.tif 000006